(57)【要約】【課題】ワイヤ等線状体のテンション調整に用いられるテンション調整装置において、装置のコンパクト化および軽量化を実現することができ、もって取り扱い性に優れたテンション調整装置を提供する。【解決手段】筒状のシリンダ２と、シリンダ２の内部に摺動自在に挿入されたピストン３と、一端４ａをピストン３に連結し他端４ｂをシリンダ２の外部に突出させたロッド４と、シリンダ２内に配置されてロッド４を摺動自在に支持する軸受６と、シリンダ２内においてピストン３および軸受６間に設定されたガス封入室７と、シリンダ２の外周に配置されるとともに内部に第二ガス封入室１０を設けた圧力容器９と、ガス封入室７および第二ガス封入室１０を連通させる連通部１１と、シリンダ２の一端２ａおよびロッド４の他端４ｂに設けられた一対の連結部５とを有している。【選択図】図３
2005287280.tif 000002
【特許請求の範囲】
【請求項１】
ワイヤ等線状体（Ｋ）のテンション調整に用いられるテンション調整装置（１）において、
筒状のシリンダ（２）と、前記シリンダ（２）の内部に摺動自在に挿入されたピストン（３）と、一端（４ａ）を前記ピストン（３）に連結し他端（４ｂ）を前記シリンダ（２）の外部に突出させたロッド（４）と、前記シリンダ（２）内に配置されて前記ロッド（４）を摺動自在に支持する軸受（６）と、前記シリンダ（２）内において前記ピストン（３）および軸受（６）間に設定されたガス封入室（７）と、前記シリンダ（２）の外周に配置されるとともに内部に第二ガス封入室（１０）を設けた圧力容器（９）と、前記ガス封入室（７）および第二ガス封入室（１０）を連通させる連通部（１１）と、前記シリンダ（２）の一端（２ａ）および前記ロッド（４）の他端（４ｂ）に設けられた一対の連結部（５）とを有することを特徴とするテンション調整装置。
【請求項２】
ワイヤ等線状体（Ｋ）のテンション調整に用いられるテンション調整装置（１）において、
筒状のシリンダ（２）と、前記シリンダ（２）の内部に摺動自在に挿入されたピストン（３）と、一端（４ａ）を前記ピストン（３）に連結し他端（４ｂ）を前記シリンダ（２）の外部に突出させたロッド（４）と、前記シリンダ（２）内に配置されて前記ロッド（４）を摺動自在に支持する軸受（６）と、前記シリンダ（２）内において前記ピストン（３）および軸受（６）間に設定されたガス封入室（７）と、前記シリンダ（２）の一端（２ａ）および前記ロッド（４）の他端（４ｂ）に設けられた一対の連結部（５）とを有することを特徴とするテンション調整装置。
【請求項３】
ワイヤ等線状体（Ｋ）のテンション調整に用いられるテンション調整装置（１）において、
シリンダ（２）内でピストン（３）に接するように封入された封入ガス（Ｇ）を前記ピストン（３）が直接押圧することによりテンション調整を行なうことを特徴とするテンション調整装置。
【請求項４】
請求項１のテンション調整装置において、
圧力容器（９）は、筒状を呈して同じく筒状のシリンダ（２）の外周に同軸的に配置され、前記シリンダ（２）の外周に環状の第二ガス封入室（１０）が設けられていることを特徴とするテンション調整装置。
【発明の詳細な説明】
【技術分野】
【０００１】
本発明は、ワイヤ等線状体のテンション調整に用いられるテンション調整装置に関するものである。
【背景技術】
【０００２】
従来から、図４に示すように、鉄塔に掛け渡される電線の切断等の事故防止のためのテンション（張力）調整装置を提供することを目的とし、この目的を達成するため、鉄塔に張設された電線またはワイヤの張力調整装置において、シリンダ部５２とアキュムレータ部５３を備え、シリンダ部５２のピストンロッド側油室５４にアキュムレータ部５３を接続し、ピストンロッド５５にかかる電線Ｋの張力に応答して前記ピストンロッド側油室５４からの油圧変動をアキュムレータ部５３に蓄え、電線Ｋの張力に応答してピストンロッド５５を伸縮させることを特徴とする電線またはワイヤの張力調整装置５１が知られている（特許文献１参照）。
【０００３】
しかしながら、この従来技術によると、一つの装置５１に、シリンダ（シリンダチューブ）５６、ピストン５７およびロッド５５等を有するシリンダ部５２とシェル（外殻）５８およびブラダ５９等を有するアキュムレータ部５３とが併設される構造であるとともに、一つの装置５１の内部に作動油Ｆおよび封入ガスＧの双方が封入される構造であるために、装置５１全体が如何にも大掛かりで、重量も重いと云う不都合がある。
【０００４】
【特許文献１】特開２００２−１９９５６９号公報
【発明の開示】
【発明が解決しようとする課題】
【０００５】
本発明は以上の点に鑑みて、ワイヤ等線状体のテンション調整に用いられるテンション調整装置において、装置のコンパクト化および軽量化を実現することができ、もって取り扱い性に優れたテンション調整装置を提供することを目的とする。
【課題を解決するための手段】
【０００６】
上記目的を達成するため、本発明の請求項１によるテンション調整装置は、ワイヤ等線状体のテンション調整に用いられるテンション調整装置において、筒状のシリンダと、前記シリンダの内部に摺動自在に挿入されたピストンと、一端を前記ピストンに連結し他端を前記シリンダの外部に突出させたロッドと、前記シリンダ内に配置されて前記ロッドを摺動自在に支持する軸受と、前記シリンダ内において前記ピストンおよび軸受間に設定されたガス封入室と、前記シリンダの外周に配置されるとともに内部に第二ガス封入室を設けた圧力容器と、前記ガス封入室および第二ガス封入室を連通させる連通部と、前記シリンダの一端および前記ロッドの他端に設けられた一対の連結部とを有することを特徴とするものである。
【０００７】
また、本発明の請求項２によるテンション調整装置は、ワイヤ等線状体のテンション調整に用いられるテンション調整装置において、筒状のシリンダと、前記シリンダの内部に摺動自在に挿入されたピストンと、一端を前記ピストンに連結し他端を前記シリンダの外部に突出させたロッドと、前記シリンダ内に配置されて前記ロッドを摺動自在に支持する軸受と、前記シリンダ内において前記ピストンおよび軸受間に設定されたガス封入室と、前記シリンダの一端および前記ロッドの他端に設けられた一対の連結部とを有することを特徴とするものである。
【０００８】
また、本発明の請求項３によるテンション調整装置は、ワイヤ等線状体のテンション調整に用いられるテンション調整装置において、シリンダ内でピストンに接するように封入された封入ガスを前記ピストンが直接押圧することによりテンション調整を行なうことを特徴とするものである。
【０００９】
また、本発明の請求項４によるテンション調整装置は、上記した請求項１のテンション調整装置において、圧力容器は、筒状を呈して同じく筒状のシリンダの外周に同軸的に配置され、前記シリンダの外周に環状の第二ガス封入室が設けられていることを特徴とするものである。
【発明の効果】
【００１０】
本発明は、以下の効果を奏する。
【００１１】
すなわち、上記構成を備えた本発明の請求項１、２または３によるテンション調整装置においては何れも、ピストンがその直ぐ隣りに封入される封入ガスを直接押圧することによりテンション調整がなされるよう構成されているために、当該装置は作動油をいっさい不要とし、またシリンダ部とアキュムレータ部を併設する必要がないものである。したがってこれらのことから、所期の目的どおり、装置のコンパクト化および軽量化を実現することができ、もって取り扱い性に優れたテンション調整装置を提供することができる。
【００１２】
またこれに加えて、請求項４によるテンション調整装置においては、筒状のシリンダの外周に同じく筒状の圧力容器が同軸的に配置されているために、第二ガス封入室の容積を大きく設定できる割りには装置全体の径寸法を小さく設定することができ、よって装置のコンパクト化を一層促進することができる。
【発明を実施するための最良の形態】
【００１３】
尚、本件出願には、以下の実施形態が含まれる。
【００１４】
（１）アキュムレータ容器にシリンダを組み合わせ、ガス圧にて生じる力を油を介さないで直接ピストンに伝え、引張り方向の推力を生じるようにする。
（２）また、下記構造を特徴とする。
ａ．ガスの往復動シールのための構造として、ピストンの前後に潤滑油を封入し、ピストンにグリース用溝を設ける。
ｂ．ロッドの回転が問題となる場合の方策として、ロッドの一部を非円形とする。
ｃ．ロッドの軸受機構を設ける。
【実施例】
【００１５】
つぎに本発明の実施例を図面にしたがって説明する。
【００１６】
第一実施例・・・
図１は、本発明の第一実施例に係るテンション調整装置１の構成説明図を示している。当該実施例に係るテンション調整装置１は、図２に示すようにワイヤ等鋼線の一種である鉄塔Ｔ間に架設された電線Ｋのテンションを調整するために用いられるものであって、以下のように構成されている。尚、当該実施例は本願の請求項１ないし４に係る発明についての共通の実施例である。
【００１７】
すなわち先ず、筒状のシリンダ２が設けられており、このシリンダ２の内部にピストン３が摺動自在に挿入されており、一端（図上右端）４ａをこのピストン３に連結したロッド４の他端（図上左端）４ｂがシリンダ２の外部に突出せしめられている。シリンダ２の一端２ａおよびロッド４の他端４ｂには、ここに図示しない連結具を介して上記電線Ｋを連結するための一対の連結部としての一対のフック５，５が設けられている。
【００１８】
また、上記シリンダ２の内部に、ロッド４を摺動自在に支持する軸受６が設けられており、シリンダ２の内部においてこの軸受６とピストン３との間にガスＧを封入するためのガス封入室（ガス室）７が形成されている。したがって、ピストン３の直ぐ隣りにガスＧが封入されることになる。ガス封入室７の気密を保つため、ピストン３の外周には、シリンダ２の内面に摺動自在に密接するピストンシール８が設けられており、軸受６の外周にも固定的なガスケット等のシール（図示せず）が設けられている。
【００１９】
また、上記シリンダ２の外周側に、筒状の圧力容器９が同軸的に固定されてその内部に環状の第二ガス封入室１０が設けられており、この第二ガス封入室１０と上記シリンダ２内のガス封入室７とを連通させるべく孔状の連通部１１がシリンダ２に設けられている。筒状の圧力容器９は、その両端を窄め加工され、この両端をもってシリンダ２の外周に溶接等の手段により固定されているが、窄め加工の代わりとして、両端に軸直角平面状の端面を有するものとしても勿論良い。
【００２０】
また、連通部１１を介して互いに連通するガス封入室７および第二ガス封入室１０には、ガスＧが所定の封入圧をもって封入されている。尚、当該装置１内には、圧力伝達媒体として機能する作動油はいっさい充填されていない。
【００２１】
上記構成のテンション調整装置１は、両端のフック５，５に連結した電線Ｋのテンションが変化すると、これに応じてピストン３がシリンダ２内でストロークして装置１全体として伸縮作動するものであって、装置１全体が延びれば延びるほどピストン３か封入ガスＧを強く圧縮するので、大きな復元力が発生する。
【００２２】
図示したように、当該装置１においては、ピストン３がその直ぐ隣りに封入された封入ガスＧを直接押圧することによりテンション調整がなされるように構成されているために、上記したように当該装置１は圧力伝達媒体として機能する作動油をいっさい必要としないものである。また、シリンダ、ピストンおよびロッド等を有するシリンダ部とシェルおよびブラダ等を有するアキュムレータ部とを並べて配置する必要がないものである。更にまた、筒状のシリンダ２の外周側に同じく筒状の圧力容器９が同軸的に配置されているために、第二ガス封入室１０の容積を大きく設定できる割りには装置１全体の径寸法を小さく設定することができるものである。したがってこれらのことから、所期の目的どおり、装置のコンパクト化および軽量化を実現することができ、もって取り扱い性に優れたテンション調整装置１を提供することができる。
【００２３】
尚、封入するガスＧの封入量が少なくても良い場合には、上記構成から圧力容器９、第二ガス封入室１０および連通部１１を省略することにしても良い。
【００２４】
第二実施例・・・
図３は、本発明の第二実施例に係るテンション調整装置１の一部切欠した正面図を示している。当該実施例に係るテンション調整装置１は、上記図２に示したようにワイヤ等鋼線の一種である鉄塔Ｔ間に架設された電線Ｋのテンションを調整するために用いられるものであって、以下のように構成されている。尚、当該実施例も本願の請求項１ないし４に係る発明についての共通の実施例である。
【００２５】
すなわち先ず、筒状のシリンダ２が設けられており、このシリンダ２の内部にピストン３が摺動自在に挿入されており、一端（図上右端）４ａをこのピストン３に連結したロッド４の他端（図上左端）４ｂがシリンダ２の外部に突出せしめられている。シリンダ２の一端２ａおよびロッド４の他端４ｂには、ここに図示しない連結具を介して上記電線Ｋを連結するための一対の連結部としての一対のフック５，５が設けられている。シリンダ２は、軸方向に並べられた二本のチューブ１２，１２の組み合わせよりなり、両チューブ１２，１２は両者の間に後記する中間部の軸受６を嵌合した状態で一体に接続されている。また、シリンダ２に対するロッド４の回り止め構造１８が設けられており、この回り止め構造１９は、ロッド４の周面に設けた二面幅部１９を後記するシリンダ他端２ｂの軸受６とストロークの全長に亙って円周方向に係合させることにより構成されている。
【００２６】
また、上記シリンダ２の内部に、ロッド４を摺動自在に支持する軸受６が設けられており、シリンダ２の内部においてこの軸受６とピストン３との間にガスＧを封入するためのガス封入室（ガス室）７が形成されている。軸受６は、シリンダ２の中間部に一つと他端２ｂに一つ都合二つ設けられており、中間部の軸受６とピストン３との間にガス封入室７が形成されている。したがってピストン３の直ぐ隣りにガスＧが封入されることになる。ガス封入室８の気密を保つため、ピストン３の外周には、シリンダ２の内面に摺動自在に密接するピストンシール８が設けられており、またピストン３の前後に若干の封止油（図示せず）が注入されている。また、ピストン３の外周面には、ピストンシール８を装着するための環状の装着溝１３が設けられているが、更にこの装着溝１３の前後にそれぞれ封止油を保持するための環状の保持溝１４が設けられている。また、ガス封入室８の気密を保つため、上記中間部の軸受６の外周には固定的なガスケット等のシール１５が設けられている。ピストン３の図上右側の空間（外側空間）１６は、ピストン３のストロークに応じて容積が変化することから、容積が変化しても圧力変動が生じないように大気開放されている。
【００２７】
また、上記シリンダ２の外周側に、筒状の圧力容器９が同軸的に固定されてその内部に環状の第二ガス封入室１０が設けられており、この第二ガス封入室１０と上記シリンダ２内のガス封入室７とを連通させるべく孔状の連通部１１が上記中間部の軸受６に設けられている。筒状の圧力容器９は、その両端を窄め加工され、この両端をもってシリンダ２の外周に溶接等の手段によって固定されているが、窄め加工の代わりとして、両端に軸直角平面状の端面を有するものとしても勿論良い。圧力容器の一端には、ガスを注入するためのガス封入口（ガスバルブ）１７が設けられている。
【００２８】
また、連通部１１を介して互いに連通するガス封入室７および第二ガス封入室１０には、ガスＧが所定の封入圧をもって封入されている。尚、当該装置１内には、圧力伝達媒体として機能する作動油はいっさい充填されていない。
【００２９】
上記構成のテンション調整装置１は、両端のフック５，５に連結した電線Ｋのテンションが変化すると、これに応じてピストン３がシリンダ２内でストロークして装置１全体として伸縮作動するものであって、装置１全体が延びれば延びるほどピストン３か封入ガスＧを強く圧縮するので、大きな復元力が発生する。
【００３０】
図示したように、当該装置１においては、ピストン３がその直ぐ隣りに封入された封入ガスＧを直接押圧することによりテンション調整がなされるように構成されているために、上記したように当該装置１は圧力伝達媒体として機能する作動油をいっさい必要としないものである。また、シリンダ、ピストンおよびロッド等を有するシリンダ部とシェルおよびブラダ等を有するアキュムレータ部とを並べて配置する必要がないものである。更にまた、筒状のシリンダ２の外周側に同じく筒状の圧力容器９が同軸的に配置されているために、第二ガス封入室１０の容積を大きく設定できる割りには装置１全体の径寸法を小さく設定することができるものである。したがってこれらのことから、所期の目的どおり、装置のコンパクト化および軽量化を実現することができ、もって取り扱い性に優れたテンション調整装置１を提供することができる。
【００３１】
尚、封入するガスＧの封入量が少なくても良い場合には、上記構成から圧力容器９、第二ガス封入室１０、連通部１１およびガス封入口１７を省略することにしても良い。
【００３２】
また、上記第二実施例では、ピストン３の図上右側の空間（外側空間）１６を大気開放する構成としたが、当該テンション調整装置１が雨ざらしの状況で使用されることを考慮すると、この空間１６に雨滴やダスト等の異物が入り込まないようにこの空間１６を閉塞することにしても良く、この場合には以下のように構成する。
（１）すなわち先ず、当該空間１６の容積が最も小さいとき（ピストン３がストローク右端限に位置したとき）でも、容積が最も大きいとき（ピストン３がストローク左端限に位置したとき）の１／３程度の容積を確保するよう寸法諸元を設定する。
（２）次に、当該テンション調整装置１の組立て時に、当該空間１６の容積が最も大きくなる状態（ピストン３がストローク左端限に位置した状態）で組み立てる。
（３）次いで、上記（２）の状態で組み立てた当該テンション調整装置１に対してガス封入口１７からガスを封入すると、ガス封入室７，１０の圧力が上昇するのに伴ってピストン３は右方向へストロークするが、上記（１）で説明したように当該空間１６には１／３程度の容積が残る。このとき当該空間１６の圧力は大気圧から３ｋｇｆ／ｃｍ２程度にまで上昇するが、依然として低圧のままであることから、ガスばね特性に問題となるような影響を及ぼすことはない。
したがって、この構成によれば、ガスばね特性に影響を及ぼすことがなくかつ当該空間１６に雨滴やダスト等の異物が浸入することがない一層高性能のテンション調整装置１を提供することができる。
【００３３】
また、シリンダ２の他端２ｂ側の軸受６の外側（図上左側）にシール機構（図示せず）を設ければ、この軸受６やその内部空間に雨滴やダスト等の異物が浸入するのを防止することもできる。
【図面の簡単な説明】
【００３４】
【図１】本発明の第一実施例に係るテンション調整装置の構成説明図
【図２】同テンション調整装置の使用状態説明図
【図３】本発明の題に実施例に係るテンション調整装置の一部切欠した正面図
【図４】従来例に係るテンション調整装置の構成説明図
【符号の説明】
【００３５】
１  テンション調整装置
２  シリンダ
２ａ，４ａ  一端
２ｂ，４ｂ  他端
３  ピストン
４  ロッド
５  フック（連結部）
６  軸受
７  ガス封入室
８  ピストンシール
９  圧力容器
１０  第二ガス封入室
１１  連通部
１２  チューブ
１３  装着溝
１４  保持溝
１５  シール
１６  空間
１７  ガス封入口
１８  回り止め構造
１９  二面幅部
Ｇ  封入ガス
Ｔ  鉄塔
Ｋ  電線（ワイヤ等線状体）
【図１】
2005287280.tif 000003
【図２】
2005287280.tif 000004
【図３】
2005287280.tif 000005
【図４】
2005287280.tif 000006
【手続補正書】
【提出日】平成16年4月8日(2004.4.8)
【手続補正１】
【補正対象書類名】図面
【補正対象項目名】全図
【補正方法】変更
【補正の内容】
【図１】
2005287280.tif 000007
【図２】
2005287280.tif 000008
【図３】
2005287280.tif 000009
【図４】
2005287280.tif 000010